(57)【要約】      （修正有）【課題】短絡を確実に防止し、使用寿命を延長できる横形コンデンサーを提供する。【解決手段】主に電解コンデンサー１０と、取付け台２０とを有し、該電解コンデンサー１０は本体１１と、２本の電極端子１２、１２とを含み、該取付け台２０は第１端２０１と第２端２０２とを有し、該取付け台２０に収容溝２１を設け、該収容溝２１は該取付け台２０の両端に連絡すると共に、電解コンデンサーの本体１１を収容する。該取付け台の第１端２０１に遮蔽部２２と２本の接続溝２３、２３を設け、該遮蔽部２２は該本体１１と２本の電極端子１２の接続場所を遮り、該電極端子１２は該遮蔽部２２に通して延ばし、該接続溝２３は該遮蔽部２２より該取付け台２０の底面２０３に延ばす。２本の接続溝２３、２３には２本の電極端子１２、１２をそれぞれ設け、かつ２本の接続溝２３、２３は互いに連絡しない。【選択図】図１
0003151334.tif 000002
【実用新案登録請求の範囲】
【請求項１】
本体と２本の電極端子とを有する電解コンデンサーと、取付け台を含む横形コンデンサーであって、
該取付け台は、第１端と第２端を有し、該取付け台に収容溝を設け、該収容溝は該取付け台の両端に連絡し、該収容溝は該電解コンデンサーの前記本体を収容し、該取付け台の第１端に遮蔽部と２本の接続溝を設け、該遮蔽部により該本体と２本の電極端子の接続端を遮り、該電極端子は該遮蔽部を通して延ばし、該接続溝は該遮蔽部より該取付け台の底面に延ばし、２本の接続溝は２本の電極端子の取付けに提供し、かつ２本の接続溝は互いに連絡しないことを特徴とする、横形コンデンサー。
【請求項２】
該遮蔽部は半分以上の収容溝開口部を遮ることにより、該遮蔽部によって該電極端子を覆い、該２本の接続溝は該遮蔽部の中心部寄りの場所から両側面に向けて、該取付け台の底面に延ばすことを特徴とする、請求項１記載の横形コンデンサー。
【請求項３】
該接続溝は貫通孔と、第１収容部と、第２収容部とを含み、該貫通孔は該収容溝に貫通連絡し、該第１収容部は該遮蔽部にて形成し、該第２収容部は該取付け台の底面に形成し、該第１収容部と該第２収容部の深さは該電極端子の径より大きく設け、該２つの収容部は階段状を形成して、該電極端子を留めることを特徴とする、請求項１記載の横形コンデンサー。
【請求項４】
該接続溝は貫通孔と、第１嵌めこみ部と、第２嵌めこみ部とを含み、該貫通孔は該収容溝に連絡し、該第１嵌めこみ部は該遮蔽部に形成し、該第２嵌めこみ部は該取付け台の底面に形成し、該電極端子は該接続溝に設け、該電極端子は第１部位と第２部位とを有し、該第１部位は該第１嵌めこみ部に設け、該第２部位は該第２嵌めこみ部に設け、該第１部位の表面と該遮蔽部の表面は平らに寄り合わせ、該電極端子は該接続溝の貫通孔に合わせて接続孔を設け、該本体に２本の連稈を設け、該連稈は該貫通孔を貫通した上該接続孔に嵌め込むことを特徴とする、請求項２記載の横形コンデンサー。
【請求項５】
該取付け台第２端の底面に一つ以上の補助溝を設け、該補助溝に振動防止端子を取付けた上、該振動防止端子はプリント基板にはんだ付けすることを特徴とする、請求項１記載の横形コンデンサー。
【考案の詳細な説明】
【技術分野】
【０００１】
本考案は一種の電解コンデンサーに係り、特に一種の電極端子を覆わせた横形コンデンサーに関する。
【背景技術】
【０００２】
特許文献１に示す中華人民共和国特許第００２５２０９７．４号に記載の「取付け台付き横形コンデンサー」によると、取付け台内部にリング溝を設け、該リング溝の開口部に円形切欠きを形成し、該取付け台の両側に凹み溝をそれぞれ形成する。これにより、一種の横形電解コンデンサーをプリント基板の表面装着プロセスに提供できる。
【０００３】
しかしながら、先行技術による横形取付け台付き電解コンデンサーの一端は完全に剥き出し状態であるため、電解コンデンサーの液体が該電極端子より噴き出すことにより、プリント基板上に装着されたその他電子部品に影響を与える恐れがある。さらに、電極端子と電解コンデンサーとの接続箇所のウイスカー抜けと、２本の電極端子のウイスカーが成長し絡まるとき、短絡が発生し使用不能になりかねない。よって、前記課題を至急に改善の必要がある。
【先行技術文献】
【特許文献】
【０００４】
【特許文献１】中華人民共和国特許第００２５２０９７．４号公報
【考案の概要】
【考案が解決しようとする課題】
【０００５】
そこで、本考案は前記した先行技術課題に対して、一種の横形コンデンサーを提供する。
【０００６】
遮蔽部が電極端子を覆うことによって、電解コンデンサー内部液体の噴き出しとウイスカーの抜け出し、さらに、２本の電極端子上ウイスカーが成長して絡まることによる短絡を確実に防止する、一種の横形コンデンサーを提供することが本考案の主な目的である。
【０００７】
電極端子は位置ずれがなく、接続溝内部に制限されて、電解コンデンサーの安定性を維持し使用寿命を延長できる、一種の横形コンデンサーを提供することが本考案の次の目的である。
【０００８】
取付け台第２端の底面に一つ以上の補助溝を有し、該補助溝は振動防止端子の取付けに備える。これにより、該取付け台両端ともプリント基板にはんだ付けして、取付け台の振動耐性を向上し、安定性を高める、一種の横形コンデンサーを提供することが本考案のもう一つの目的である。
【課題を解決するための手段】
【０００９】
上記解題を解決するため、本考案は、本体と２本の電極端子とを有する電解コンデンサーと、取付け台を含む横形コンデンサーであって、該取付け台は、第１端と第２端を有し、該取付け台に収容溝を設け、該収容溝は該取付け台の両端に連絡し、該収容溝は該電解コンデンサーの前記本体を収容し、該取付け台の第１端に遮蔽部と２本の接続溝を設け、該遮蔽部により該本体と２本の電極端子の接続端を遮り、該電極端子は該遮蔽部を通して延ばし、該接続溝は該遮蔽部より該取付け台の底面に延ばし、２本の接続溝は２本の電極端子の取付けに提供し、かつ２本の接続溝は互いに連絡しないことを特徴とするものである。
【考案の効果】
【００１０】
前記した説明内容から、本考案は以下の長所をまとめることができる。
＜イ＞本考案は、遮蔽部により電極端子を覆うことによって、電解コンデンサー内部液体の噴き出しとウイスカー抜け、さらに、２本の電極端子上ウイスカーが成長して絡まることによる短絡を確実に防止できる。
【００１１】
＜ロ＞本考案は、該電極端子が該接続溝内部に制限されて位置ずれを防止し、電解コンデンサーの安定性を維持し、使用寿命を延長できる。
【００１２】
＜ハ＞本考案は、該取付け台第２端の底面に一つ以上の補助溝を有し、該補助溝は振動防止端子を装着することにより、該取付け台両端ともプリント基板にはんだ付けして、取付け台の振動耐性を向上し、安定性を高めることができる。
【図面の簡単な説明】
【００１３】
【図１】本考案による横形コンデンサー実施例１の分解図。
【図２】本考案による横形コンデンサー実施例１の組み合わせ態様図。
【図３】本考案図２の続き、電解コンデンサーの折り曲げた電極端子を示す。
【図４】本考案図３の続き、電極端子を折り曲げて接続溝への装着態様図。
【図５】本考案による横形コンデンサー実施例１の立体外観図。
【図６】本考案による横形コンデンサー実施例１の正面図。
【図７】本考案による横形コンデンサー実施例２の立体外観図。
【図８】本考案による横形コンデンサー実施例２の立体分解図。
【図９】本考案による横形コンデンサー実施例３の立体外観図。
【図１０】本考案による横形コンデンサー実施例４の立体外観図。
【図１１】本考案による横形コンデンサー実施例４の立体分解図。
【考案を実施するための形態】
【００１４】
以下、本考案の実施の形態を図面に基づいて説明する。
【実施例１】
【００１５】
図１、本考案による横形コンデンサーの立体分解図を参照する。主に電解コンデンサー１０と取付け台２０を含み、該電解コンデンサー１０は該取付け台２０に取り付けた上、プリント基板に接続する。
【００１６】
図２ないし４、本考案による横形コンデンサーの組み合わせ態様図を参照する。該電解コンデンサー１０は本体１１と２本の電極端子１２を有し、該本体１１は円柱体であり、２本の電極端子１２は該本体１１の一端に接続する。本実施例において、２本の電極端子１２は丸いリードを形成する。
【００１７】
該取付け台２０は矩形体である。該取付け台２０は第１端２０１と第２端２０２を有し、かつ該取付け台２０は底面２０３と２つの側面２０４を有する。該取付け台２０の底面２０３は該取付け台２０のプリント基板上への安定装着に提供できる。
【００１８】
該取付け台２０内部に収容溝２１を設け、該収容溝２１は該取付け台２０の両端２０１、２０２に連絡して、該電解コンデンサー１０は該取付け台２０の第２端２０２より該収容溝２１を通して設け、該電解コンデンサー１０上２本の電極端子１２は該取付け台２０の第１端２０１に位置する。
【００１９】
該取付け台２０の第１端２０１は該収容溝２１の開口部側に遮蔽部２２を突き出して設け、該遮蔽部２２は該本体１１と２本の電極端子１２との接続端を遮って、該電極端子１２は該遮蔽部２２を通して、該遮蔽部２２は収容溝２１の開口部の半分以上を遮ることにより、該遮蔽部２２を該電極端子１２に覆い、電極端子１２の破損を防止する。
【００２０】
該取付け台２０にはさらに２本の接続溝２３を設け、２本の接続溝２３は該遮蔽部２２の中心部寄りの場所から２つの側面２０４に向かって該取付け台２０の底部２０３に延ばすことにより、２本の接続溝２３が連絡されない。２本の接続溝２３は該電解コンデンサー１０上２本の電極端子１２を収容し、かつ該電極端子１２は、該接続溝２３上２つの壁面に制限されて位置ずれを防止する。該接続溝２３は該遮蔽部２２から該取付け台２０の底面２０３に延ばし、該接続溝２３と該取付け台２０の側面２０４は連絡しない。
【００２１】
該接続溝２３は貫通孔２３１、第１収容部２３２と第２収容部２３３とを含み、該貫通孔２３１は該収容溝２１に連絡する。該第１収容部２３２は該遮蔽部２２に形成し、該第２収容部２３３は該取付け台２０の底面２０３に形成する。該第１収容部２３２と第２収容部２３３の深さは該電極端子１２の径より大きく設けることにより、電解コンデンサー１０の電極端子１２は外部に露出されない。さらに、該第２収容部２３３内部は階段状を形成して、電極端子１２を該第２収容部２３３に留める。
【００２２】
図５、６を参照する。本考案は遮蔽部２２により電極端子１２を覆うことにより、電解コンデンサー１０内部の液体の噴き出しとウイスカー抜けを避けることができるほか、２本の電極端子１２のウイスカーが成長し、２本の電極端子１２が絡まることによる短絡を確実に防止できる。さらに、該遮蔽部２２は取付け台２０第１端２０１の収容溝２１（図１を参照）を完全に遮らないため、収容溝２１に排気の隙間が残されている。該電極端子１２は該接続溝２３内部に制限され、位置ずれを防止できるため、電解コンデンサー１０の安定性を維持し、使用寿命が延長される。さらに、該電極端子１２は遮蔽部２２の外部に露出しないため、加工設備が電解コンデンサー１０を引きずることによる、電極端子１２の破損が確実に避けられる。
【実施例２】
【００２３】
図７、８、本考案実施例２による立体外観図を参照する。本実施例は前記実施例１と大体同じである。その違いは、該取付け台２０第２端２０２の底面２０３は補助溝２４を有し、該補助溝２４に振動防止端子２５を取付けた上、該振動防止端子２５をプリント基板にはんだ付けする。これにより、該取付け台２０両端２０１、２０２ともプリント基板にはんだ付けされて、取付け台２０の振動耐性を高め、安定性を向上できる。
【実施例３】
【００２４】
図９、本考案実施例３による立体外観図を参照する。本実施例は前記実施例２と大体同じである。その違いは、該取付け台２０第２端２０２の底面２０３に２本の補助溝２６を有し、該２本の補助溝２６は底面２０３の両側にそれぞれ設けた上、振動防止端子２７をそれぞれ取り付ける。
【実施例４】
【００２５】
図１０、１１、本考案実施例４による立体分解図を参照する。本実施例は前記実施例１と大体同じである。その違いは、該電解コンデンサー１０ａと該接続溝２３ａにある。
【００２６】
２本の接続溝２３ａは該遮蔽部２２ａの中心寄りの場所から２つの側面２０４ａへ向かって、該取付け台２０ａの底面２０３ａに延ばすことにより、該２本の接続溝２３ａは連絡されない。２本の接続溝２３ａは該電解コンデンサー１０ａ上２本の電極端子１２ａを収容し、かつ該電極端子１２ａは該接続溝２３ａに嵌め込む。該接続溝２３ａは該収容溝２１ａと該固定台２０ａの底面２０３ａと、２つの側面２０４ａとを連絡し、開放状を形成する。
【００２７】
該接続溝２３ａは貫通孔２３１ａ、第１嵌めこみ部２３２ａと第２嵌めこみ部２３３ａとを含め、該貫通孔２３１ａは該収容溝２１ａに連絡し、該第１嵌めこみ部２３２ａは該遮蔽部２２ａに形成し、該第２嵌めこみ部２３３ａは該取付け台２０ａの底面２０３ａに形成する。
【００２８】
該電解コンデンサー１０ａは本体１１ａと、２本の電極端子１２ａを有し、該電極端子１２ａは扁平形に成形加工した上、該電極端子１２ａを該接続溝２３ａに嵌めこみ、該電極端子１２ａは第１部位１２１ａと第２部位１２２ａを有し、該電極端子１２ａは該接続溝２３ａに嵌め込んだ後、該第１部位１２１ａは該第１嵌めこみ部２３２ａに嵌めこみ、該第２部位１２２ａは該第２嵌めこみ部２３３ａに嵌めこむ。該第１部位１２１ａの表面と該遮蔽部２２ａの表面は平らに寄り合わせる。該電極端子１２ａは該接続溝２３ａの貫通孔２３１ａの向かい側に接続孔１２３ａを設け、該本体１１ａは２本の連稈１１１ａに接続され、該連稈１１１ａは該貫通孔２３１ａを通して該接続孔１２３ａに嵌め込む。本実施例は扁平形の電極端子１２ａにより、大面積にてプリント基板と接触して、電解コンデンサー１０ａの効率を向上できる。
【符号の説明】
【００２９】
１０       電解コンデンサー
１１       本体
１２       電極端子
２０       取付け台
２０１     第１端
２０２     第２端
２０３     底面
２０４     側面
２１       収容溝
２２       遮蔽部
２３       接続溝
２３１     貫通孔
２３２     第１収容部
２３３     第２収容部
２４       補助溝
２５       振動防止端子
２６       補助溝
２７       振動防止端子
１０ａ     電解コンデンサー
１１ａ     本体
１１１ａ   連稈
１２ａ     電極端子
１２１ａ   第１部位
１２２ａ   第２部位
１２３ａ   接続孔
２０ａ     取付け台
２０３ａ   底面
２０４ａ   側面
２１ａ     収容溝
２２ａ     遮蔽部
２３ａ     接続溝
２３１ａ   貫通孔
２３２ａ   第１嵌めこみ部
２３３ａ   第２嵌めこみ部
【図１】
0003151334.tif 000003
【図２】
0003151334.tif 000004
【図３】
0003151334.tif 000005
【図４】
0003151334.tif 000006
【図５】
0003151334.tif 000007
【図６】
0003151334.tif 000008
【図７】
0003151334.tif 000009
【図８】
0003151334.tif 000010
【図９】
0003151334.tif 000011
【図１０】
0003151334.tif 000012
【図１１】
0003151334.tif 000013